(57)【要約】【課題】個別制御情報がマッピングされるリソース要素数が一定でない場合であっても、ＰＵＳＣＨにおいて所望の伝送品質を実現する。【解決手段】本発明に係る無線基地局ｅＮＢは、ＰＵＳＣＨにおいて、の移動局に割り当てられる１つ又は複数の第１リソースブロックにおける受信品質、及び、第１リソースブロック内で個別制御情報の送信に割り当てられるリソース要素の数に基づいて、受信品質の補正値を算出する算出部１２と、受信品質の補正値に基づいて、第一リソースブロックにおいて使用すべき変調方式及び伝送可能なビット数を選択する選択部１３とを具備する。【選択図】図２
2010154102.tif 000002
【特許請求の範囲】
【請求項１】
特定移動局に対して、上りリンク共有チャネルにおいて所定情報を送信することを指示する制御信号を送信し、かつ、該特定移動局から、上りリンク共有チャネルにおいて該特定移動局に対して割り当てられた第１リソースブロックを用いて送信される前記所定情報を受信するように構成されている無線基地局であって、
前記上りリンク共有チャネル用の無線リソースのうち、該特定移動局に割り当てられている１つ又は複数の第１リソースブロックにおける該特定移動局の送信信号の受信品質、及び、該第１リソースブロック内で制御情報或いはＳｏｕｎｄｉｎｇ  Ｒｅｆｅｒｅｎｃｅ  Ｓｉｇｎａｌの送信に割り当てられるリソース要素の数に基づいて、該受信品質の補正値を算出するように構成されている算出部と、
前記受信品質の補正値に基づいて、前記第１リソースブロックにおいて使用すべき変調方式及び伝送可能なビット数を選択するように構成されている選択部と、
前記第１リソースブロックにおいて使用すべき変調方式及びビット数を、前記制御信号の一部として送信する送信部とを具備することを特徴とする無線基地局。
【請求項２】
前記算出部は、前記受信品質を「ＳＩＲａｌｌｏｃａｔｅｄ」とし、前記第１リソースブロック内で前記個別制御情報の送信に割り当てられるリソース要素の数に基づいて算出されるパラメータを「ΔＣｏｎｔｒｏｌ_ｒｅｓｏｕｒｃｅ」とし、前記所定情報の前記無線基地局における受信結果に応じて増減するオフセット値を「ＳＩＲｏｆｆｓｅｔ」とした場合に、「ＳＩＲＡｄｊｕｓｔｅｄ＝ＳＩＲａｌｌｏｃａｔｅｄ＋ＳＩＲｏｆｆｓｅｔ−ΔＣｏｎｔｒｏｌ_ｒｅｓｏｕｒｃｅ」によって、前記干渉量の補正値「ＳＩＲＡｄｊｕｓｔｅｄ」を算出するように構成されていることを特徴とする請求項１に記載の無線基地局。
【請求項３】
前記算出部は、
前記第１リソースブロック内の前記リソース要素の数を「ＮＲＥ」とし、該第１リソースブロック内で前記上りリンク制御チャネルの送信に割り当てられる前記リソース要素の数を「ＮＲＥ，Ｃｏｎｔｒｏｌ_ｒｅｓｏｕｒｃｅ」とした場合に、
【数Ａ】
2010154102.tif 000013
によって、前記パラメータ「ΔＣｏｎｔｒｏｌ_ｒｅｓｏｕｒｃｅ」を算出するように構成されていることを特徴とする請求項２に記載の無線基地局。
【請求項４】
前記算出部は、
インデックス値「ｘ」に対応する前記ビット数を「ＴＢＳｘ」とし、前記第１リソースブロック内で前記第１リソースブロック内の前記リソース要素の数を「ＮＲＥ」とし、該第１リソースブロック内で前記個別制御情報送信用の無線リソースとして割り当てられている前記リソース要素の数を「ＮＲＥ，Ｃｏｎｔｒｏｌ_ｒｅｓｏｕｒｃｅ」とした場合に、
【数Ｂ】
2010154102.tif 000014
を満足する最大の「ΔＣｏｎｔｒｏｌ_ｒｅｓｏｕｒｃｅ」を、前記パラメータ「ΔＣｏｎｔｒｏｌ_ｒｅｓｏｕｒｃｅ」として算出するように構成されていることを特徴とする請求項２に記載の無線基地局。
【請求項５】
前記算出部は、前記受信品質を「ＳＩＲａｌｌｏｃａｔｅｄ」とし、前記第１リソースブロック内で前記Ｓｏｕｎｄｉｎｇ  Ｒｅｆｅｒｅｎｃｅ  Ｓｉｇｎａｌの送信に割り当てられるリソース要素の数に基づいて算出されるパラメータを「ΔＳＲＳ」とし、前記移動局より上りリンク共有チャネルを介して送信された所定情報の前記無線基地局における受信結果に応じて増減するオフセット値を「ＳＩＲｏｆｆｓｅｔ」とした場合に、「ＳＩＲＡｄｊｕｓｔｅｄ＝ＳＩＲａｌｌｏｃａｔｅｄ＋ＳＩＲｏｆｆｓｅｔ−ΔＳＲＳ」によって、前記干渉量の補正値「ＳＩＲＡｄｊｕｓｔｅｄ」を算出するように構成されていることを特徴とする請求項１に記載の無線基地局。
【請求項６】
前記算出部は、
前記第１リソースブロック内の前記リソース要素の数を「ＮＲＥ」とし、該第１リソースブロック内で前記Ｓｏｕｎｄｉｎｇ  Ｒｅｆｅｒｅｎｃｅ  Ｓｉｇｎａｌの送信に割り当てられる前記リソース要素の数を「ＮＲＥ，ＳＲＳ」とした場合に、
【数Ｃ】
2010154102.tif 000015
によって、前記パラメータ「ΔＳＲＳ」を算出するように構成されていることを特徴とする請求項５に記載の無線基地局。
【請求項７】
前記算出部は、
インデックス値「ｘ」に対応する前記ビット数を「ＴＢＳｘ」とし、前記第１リソースブロック内で前記第１リソースブロック内の前記リソース要素の数を「ＮＲＥ」とし、該第１リソースブロック内で前記Ｓｏｕｎｄｉｎｇ  Ｒｅｆｅｒｅｎｃｅ  Ｓｉｇｎａｌの送信に割り当てられている前記リソース要素の数を「ＮＲＥ，ＳＲＳ」とした場合に、
【数Ｄ】
2010154102.tif 000016
を満足する最大の「ΔＳＲＳ」を、前記パラメータ「ΔＳＲＳ」として算出するように構成されていることを特徴とする請求項５に記載の無線基地局。
【請求項８】
前記算出部は、前記受信品質を「ＳＩＲａｌｌｏｃａｔｅｄ」とし、前記第１リソースブロック内で前記個別制御情報の送信、及び、前記Ｓｏｕｎｄｉｎｇ  Ｒｅｆｅｒｅｎｃｅ  Ｓｉｇｎａｌの送信に割り当てられるリソース要素の数に基づいて算出されるパラメータを「ΔＣｏｎｔｒｏｌ＿ｒｅｓｏｕｒｃｅ＆ＳＲＳ」とし、前記移動局より上り共有チャネルを介して送信された所定情報の前記無線基地局における受信結果に応じて増減するオフセット値を「ＳＩＲｏｆｆｓｅｔ」とした場合に、「ＳＩＲＡｄｊｕｓｔｅｄ＝ＳＩＲａｌｌｏｃａｔｅｄ＋ＳＩＲｏｆｆｓｅｔ−ΔＣｏｎｔｒｏｌ＿ｒｅｓｏｕｒｃｅ＆ＳＲＳ」によって、前記干渉量の補正値「ＳＩＲＡｄｊｕｓｔｅｄ」を算出するように構成されていることを特徴とする請求項１に記載の無線基地局。
【請求項９】
前記算出部は、
前記第１リソースブロック内の前記リソース要素の数を「ＮＲＥ」とし、該第１リソースブロック内で前記個別制御情報の送信、及び、前記Ｓｏｕｎｄｉｎｇ  Ｒｅｆｅｒｅｎｃｅ  Ｓｉｇｎａｌの送信に割り当てられる前記リソース要素の数を「ＮＲＥ，Ｃｏｎｔｒｏｌ＿ｒｅｓｏｕｒｃｅ＆ＳＲＳ」とした場合に、
【数Ｅ】
2010154102.tif 000017
によって、前記パラメータ「ΔＣｏｎｔｒｏｌ＿ｒｅｓｏｕｒｃｅ＆ＳＲＳ」を算出するように構成されていることを特徴とする請求項８に記載の無線基地局。
【請求項１０】
前記算出部は、
インデックス値「ｘ」に対応する前記ビット数を「ＴＢＳｘ」とし、前記第１リソースブロック内の前記リソース要素の数を「ＮＲＥ」とし、該第１リソースブロック内で前記個別制御情報の送信、及び、前記Ｓｏｕｎｄｉｎｇ  Ｒｅｆｅｒｅｎｃｅ  Ｓｉｇｎａｌの送信に割り当てられている前記リソース要素の数を「ＮＲＥ，Ｃｏｎｔｒｏｌ＿ｒｅｓｏｕｒｃｅ＆ＳＲＳ」とした場合に、
【数Ｆ】
2010154102.tif 000018
を満足する最大の「ΔＣｏｎｔｒｏｌ＿ｒｅｓｏｕｒｃｅ＆ＳＲＳ」を、前記パラメータ「ΔＣｏｎｔｒｏｌ＿ｒｅｓｏｕｒｃｅ＆ＳＲＳ」として算出するように構成されていることを特徴とする請求項８に記載の無線基地局。
【請求項１１】
特定移動局に対して、上りリンク共有チャネルにおいて所定情報を送信することを支持する制御信号を送信し、かつ、該特定移動局から、上りリンク共有チャネルにおいて該移動局に対して割り当てられた第１リソースブロックを用いて送信される前記所定情報を受信するように構成されている無線基地局における通信制御方法であって、
前記上りリンク共有チャネル用の無線リソースのうち、該特定移動局に割り当てられている１つ又は複数の第１リソースブロックにおける該特定移動局の送信信号の受信品質、及び、該第１リソースブロック内で制御情報の送信、或いは、Ｓｏｕｎｄｉｎｇ  Ｒｅｆｅｒｅｎｃｅ  Ｓｉｇｎａｌの送信に割り当てられるリソース要素の数に基づいて、該受信品質の補正値を算出する第１ステップと、
前記受信品質の補正値に基づいて、前記第１リソースブロックにおいて使用すべき変調方式及び伝送可能なビット数を選択する第２ステップとを備えることを特徴とする通信制御方法。
【発明の詳細な説明】
【技術分野】
【０００１】
本発明は、移動局から、上りリンク共有チャネルにおいて該移動局に対して割り当てられたリソースブロックを用いて送信される所定情報を受信するように構成されている無線基地局及び通信制御方法に関する。
【背景技術】
【０００２】
３ＧＰＰで規定されているＬＴＥ（Ｌｏｎｇ  Ｔｅｒｍ  Ｅｖｏｌｕｔｉｏｎ）方式では、無線基地局ｅＮＢが、測定した上りリンクにおける受信品質（例えば、受信電力や信号対干渉比ＳＩＲや信号対干渉雑音比ＳＩＮＲやパスロス等）に基づいて、上りリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）の変調方式やチャネル符号化率を制御する「ＡＭＣ（Ａｄａｐｔｉｖｅ  Ｍｏｄｕｌａｔｉｏｎ  ａｎｄ  Ｃｏｄｉｎｇ）制御」が適用されている。
【０００３】
ここで、ある変調方式において、チャネル符号化率に応じて、単位時間あたりの所定周波数リソース（例えば、リソースブロック単位の無線リソース）によって伝送可能なビット数（ＴＢＳ：Ｔｒａｎｓｐｏｒｔ  Ｂｌｏｃｋ  Ｓｉｚｅ）が決まる。
【０００４】
したがって、ＬＴＥ方式の上りリンクのＡＭＣ制御では、受信ＳＩＲ等の上りリンクの受信品質に基づいて、変調方式及びＴＢＳを制御するように構成されている。
【特許文献１】特願２００４-１３６６６２号
【発明の開示】
【発明が解決しようとする課題】
【０００５】
ここで、図５（ａ）に示すように、３ＧＰＰで規定されているＨＳＤＰＡ（Ｈｉｇｈ  Ｓｐｅｅｄ  Ｄｏｗｎｌｉｎｋ  Ｐａｃｋｅｔ  Ａｃｃｅｓｓ）方式では、各移動局ＭＳに対して、時間スロットごとに、下り共有データチャネル（ＨＳ-ＤＳＣＨ：Ｈｉｇｈ  Ｓｐｅｅｄ  Ｄｏｗｎｌｉｎｋ  Ｓｈａｒｅｅｄ  Ｃｈａｎｎｅｌ）用のコードリソース（無線リソース）を割り当てるように構成されており、無線リソースの割り当て単位は、一定である。
【０００６】
一方、図５（ｂ）に示すように、３ＧＰＰで規定されているＬＴＥ（Ｌｏｎｇ  Ｔｅｒｍ  Ｅｖｏｌｕｔｉｏｎ）方式の上りリンクでは、各移動局ＭＳに対して、時間スロット（サブフレーム）ごとに、ＰＵＳＣＨ用の無線リソースを割り当てるように構成されている。
【０００７】
ＬＴＥ方式の上りリンクにおける無線リソースは、上りリンク共有チャネルに対して、システム帯域幅を所定帯域幅ごとに区切ったリソースブロック単位で割り当てられるように構成されている。
【０００８】
具体的には、リソースブロックは、周波数方向及び時間方向の二次元平面で定義される上りリンク共有チャネルに対する無線リソースの最小割り当て単位であり、時間方向の７個のＳＣ（Ｓｉｎｇｌｅ  Ｃａｒｒｉｅｒ）-ＦＤＭＡシンボルと周波数方向の１２個のサブキャリアによって構成されている。
【０００９】
なお、リソースブロックを構成する要素を「リソース要素」と呼び、各リソースブロックは、１２×７個のリソース要素（＝ＳＣ-ＦＤＭＡシンボル）によって構成されている。
【００１０】
ＬＴＥ方式の上りリンクでは、移動局ＵＥはＰＵＳＣＨを送信しないタイミングでは、制御情報（下りリンク共有チャネルに対する送達確認情報、受信品質情報（Ｃｈａｎｎｅｌ  Ｑｕａｌｉｔｙ  Ｉｎｄｉｃａｔｏｒ）、スケジューリング要求（Ｓｃｈｅｄｕｌｉｎｇ  Ｒｅｑｕｅｓｔ）等）を物理上り制御チャネル（ＰＵＣＣＨ：Ｐｈｙｓｉｃａｌ  Ｕｐｌｉｎｋ  Ｃｏｎｔｒｏｌ  ＣＨａｎｎｅｌ）で送信する。
【００１１】
しかしながら、ＬＴＥ方式では、ＰＵＳＣＨにより上りリンクデータおよび制御情報を同一タイミングで送信する場合には、かかる移動局ＵＥに対して割り当てられているリソースブロックに、上りリンクデータチャネルと制御情報を多重およびマッピングして送信するように構成されており、送信される制御情報の情報量に応じて、制御情報がマッピングされるリソース要素数が変わるため、上りリンク共有チャネルにおけるチャネル符号化後のビット数が変わり、同じ変調方式及びＴＢＳが選択された場合であっても、上りリンク共有チャネルにおけるチャネル符号化率が異なってしまい、所望の伝送品質（例えば、ＢＬＥＲ）を実現することができなくなるという問題点があった。
【００１２】
また、ＬＴＥ方式の上りリンクでは移動局ＵＥは上りリンクの同期維持、および、無線基地局における上りリンクの無線チャネル状態の測定ために、Ｓｏｕｎｄｉｎｇ  Ｒｅｆｅｒｅｎｃｅ  Ｓｉｇｎａｌ（ＳＲＳ）と呼ばれる参照信号を送信する。ＳＲＳは、無線基地局の指定する特定のサブフレームにおける末尾のＳＣ-ＦＤＭＡシンボルに多重される。
【００１３】
したがって、他移動局のＳＲＳも含め、ＳＲＳの多重の有無によっても、上りリンク共有チャネルで使用できるリソース要素数が変わり、同じ変調方式及びＴＢＳが選択された場合であっても、上りリンク共有チャネルにおけるチャネル符号化率が異なってしまい、所望の伝送品質（例えば、ＢＬＥＲ）を実現することができなくなるという問題点があった。
【００１４】
そこで、本発明は、上述の課題に鑑みてなされたものであり、制御情報がマッピングされるリソース要素数一定でない場合であっても、さらに、同一サブフレームにおけるＳＲＳの多重の有無によらず、上りリンクデータチャネルにおいて所望の伝送品質（例えば、ＢＬＥＲ）を実現することができる無線基地局及び通信制御方法を提供することを目的とする。
【課題を解決するための手段】
【００１５】
本発明の第１の特徴は、移動局から、該移動局に対して割り当てた第１リソースブロックを用いて送信される所定情報を受信するように構成されている無線基地局であって、前記上りリンク共有チャネルにおいて、該移動局に割り当てられた１つ又は複数の第１リソースブロックにおける該移動局の送信信号の受信品質、及び、該第１リソースブロック内で個別制御情報の送信に割り当てられるリソース要素の数に基づいて、該受信品質の補正値を算出するように構成されている算出部と、前記受信品質の補正値に基づいて、前記第１リソースブロックにおいて使用すべき変調方式及び伝送可能なビット数を選択するように構成されている選択部とを具備することを要旨とする。
【発明の効果】
【００１６】
以上説明したように、本発明によれば、個別制御情報がマッピングされるリソース要素数が一定でない場合であっても、上りリンクデータチャネルにおいて所望の伝送品質（例えば、ＢＬＥＲ）を実現することができる無線基地局及び通信制御方法を提供することができる。
【発明を実施するための最良の形態】
【００１７】
（本発明の第１の実施形態に係る移動通信システムの構成）
図１乃至図３を参照して、本発明の第１の実施形態に係る移動通信システムの構成について説明する。
【００１８】
図１に示すように、本実施形態に係る移動通信システムは、ＬＴＥ方式の移動通信システムであって、無線基地局ｅＮＢと、移動局ＵＥとを具備している。
【００１９】
本実施形態に係る移動通信システムでは、無線アクセス方式として、下りリンクについては「ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式」が適用され、上りリンクについては「ＳＣ-ＦＤＭＡ（Ｓｉｎｇｌｅ-Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式」が適用されている。
【００２０】
ＯＦＤＭ方式は、の周波数帯域を複数のサブキャリアに分割し、サブキャリア上にデータを載せて伝送を行う方式である。かかるＯＦＤＭ方式によれば、サブキャリアを周波数軸上で一部重なりあいながらも互いに干渉することなく密に並べることで、高速伝送を実現し、周波数の利用効率を上げることができる。
【００２１】
また、ＳＣ-ＦＤＭＡ方式は、の周波数帯域を分割し、複数の移動局ＵＥの間で異なる周波数帯域を用いて伝送することで、複数の移動局ＵＥの間における干渉を低減することができる伝送方式である。
【００２２】
また、ＳＣ-ＦＤＭＡ方式によれば、送信電力の変動が小さくなる特徴を有することから、移動局ＵＥの低消費電力化及び広いカバレッジを実現することができる。
【００２３】
本実施形態に係る移動通信システムでは、上りリンクにおいて、移動局ＵＥが、無線基地局ｅＮＢに対して、ＰＵＳＣＨやＰＵＣＣＨ（Ｐｈｙｓｉｃａｌ  Ｕｐｌｉｎｋ  Ｃｏｎｔｒｏｌ  Ｃｈａｎｎｅｌ）等を送信する。
【００２４】
前記ＰＵＳＣＨよりデータ信号が送信され、前記ＰＵＣＣＨにより制御情報が送信される。前記制御情報には、下りリンクの共有チャネルに関する送達確認情報（ＡＣＫ  ｉｎｆｏｒｍａｔｉｏｎ）や、下りリンクの受信品質情報（Ｃｈａｎｎｅｌ  Ｑｕａｌｉｔｙ  Ｉｎｄｉｃａｔｏｒ：  ＣＱＩ）、ランクインディケータ、スケジューリング要求信号（Ｓｃｈｅｄｕｌｉｎｇ  Ｒｅｑｕｅｓｔ）等が含まれる。
【００２５】
なお、同一のサブフレームにおいて、前記データ信号及び前記制御情報の両方を送信する場合には、前記ＰＵＳＣＨに、前記データ信号と前記制御情報が多重されて送信される。この場合、前記データ信号がマッピングされるリソース要素の数は、前記制御情報がマッピングされるリソース要素の分だけ低減される。
【００２６】
また、移動局ＵＥによる前記ＰＵＳＣＨの送信は、下りリンクにおいて無線基地局ｅＮＢより送信されるＰＤＣＣＨに基づいて行われる。すなわち、移動局ＵＥは、自局宛の、ＰＵＳＣＨの送信を指示するＰＤＣＣＨを受信した場合に、所定のタイミングにおいて、ＰＵＳＣＨの送信を行う。
【００２７】
ここで、前記ＰＵＳＣＨの送信を指示するＰＤＣＣＨには、前記ＰＵＳＣＨの周波数リソース、すなわち、リソースブロックに関する情報、変調方式、データサイズ等の情報が含まれる。前記ＰＵＳＣＨの送信を指示するＰＤＣＣＨは、「ＵＬ  Ｓｃｈｅｄｕｌｉｎｇ  Ｇｒａｎｔ」と呼ばれてもよい。また、Ｄｏｗｎｌｉｎｋ  Ｃｏｎｔｒｏｌ  ＩｎｆｏｒｍａｔｉｏｎのＦｏｒｍａｔとしては、「Ｆｏｒｍａｔ  ０」が用いられてもよい。
【００２８】
下りリンクにおいては、無線基地局ｅＮＢが、移動局ＵＥに対して、ＰＤＣＣＨ（Ｐｈｙｓｉｃａｌ  Ｄｏｗｎｌｉｎｋ  Ｃｏｎｔｒｏｌ  Ｃｈａｎｎｅｌ）やＰＵＳＣＨ（Ｐｈｙｓｉｃａｌ  Ｄｏｗｎｌｉｎｋ  Ｓｈａｒｅｄ  Ｃｈａｎｎｅｌ）等を送信する。
【００２９】
図２に示すように、無線基地局ｅＮＢは、測定部１１と、ＳＩＲＡｄｊｕｓｔｅｄ算出部１２と、変調方式・ＴＢＳ選択部１３と、通知部１４とを具備している。
【００３０】
ＳＩＲ取得部１１は、所定タイミングで、各移動局ＵＥについての上りリンクにおける受信品質を測定するように構成されている。
【００３１】
以下、本実施形態では、かかる受信品質の代表としてＳＩＲを用いて説明するが、本発明は、他の受信品質の指標を用いたケースにも適用可能である。例えば、前記受信品質は、サウンディング用のリファレンス信号を用いて算出されてもよいし、復調用のリファレンス信号を用いて算出されてもよい。
【００３２】
ＳＩＲＡｄｊｕｓｔｅｄ算出部１２は、ＰＵＳＣＨ（上りリンク共有チャネル）において移動局ＵＥに対して割り当てられた１つ又は複数の第１リソースブロックにおけるＳＩＲ「ＳＩＲａｌｌｏｃａｔｅｄ」、及び、第１リソースブロック内で上述の制御情報の送信或いはＳｏｕｎｄｉｎｇ  Ｒｅｆｅｒｅｎｃｅ  Ｓｉｇｎａｌの多重に割り当てられるリソース要素の数に基づいて、ＳＩＲの補正値「ＳＩＲＡｄｊｕｓｔｅｄ」を算出するように構成されている。
【００３３】
以下、制御情報の送信に割当てられるリソース要素数に応じた第１リソースブロックにおけるＳＩＲの補正値「ＳＩＲＡｄｊｕｓｔｅｄ」の算出方法１、Ｓｏｕｎｄｉｎｇ  Ｒｅｆｅｒｅｎｃｅ  Ｓｉｇｎａｌの多重に割当てられるリソース要素数に応じた第１リソースブロックにおけるＳＩＲの補正値「ＳＩＲＡｄｊｕｓｔｅｄ」の算出方法２、及び、制御情報の送信およびＳｏｕｎｄｉｎｇ  Ｒｅｆｅｒｅｎｃｅ  Ｓｉｇｎａｌの多重に割当てられるリソース要素数に応じた第１リソースブロックにおけるＳＩＲの補正値「ＳＩＲＡｄｊｕｓｔｅｄ」の算出方法３のそれぞれについて説明する。
【００３４】
第１に、上述の算出方法１について説明する。かかる算出方法１において、  ＳＩＲＡｄｊｕｓｔｅｄ算出部１２は、「ＳＩＲＡｄｊｕｓｔｅｄ＝ＳＩＲａｌｌｏｃａｔｅｄ＋ＳＩＲｏｆｆｓｅｔ−ΔＣｏｎｔｒｏｌ_ｒｅｓｏｕｒｃｅ」によって、ＳＩＲの補正値「ＳＩＲＡｄｊｕｓｔｅｄ」を算出するように構成されている。
【００３５】
ここで、「ΔＣｏｎｔｒｏｌ_ｒｅｓｏｕｒｃｅ」は、上述の第１リソースブロック内で制御情報の送信に割り当てられるリソース要素の数に基づいて算出されるパラメータである。
【００３６】
また、「ＳＩＲｏｆｆｓｅｔ」は、移動局ＵＥからＰＵＳＣＨを介して送信された所定情報の無線基地局ｅＮＢにおける受信結果（ＯＫ/ＮＧ）に応じて増減するオフセット値である。
【００３７】
すなわち、ＳＩＲＡｄｊｕｓｔｅｄ算出部１２は、（式１）に示すように、各移動局ＵＥに対して割り当てられているＰＵＳＣＨにおける受信結果（ＯＫ/ＮＧ/ＤＴＸ）に基づいてＳＩＲｏｆｆｓｅｔを調整するように構成されてもよい。
【数１】
2010154102.tif 000003
【００３８】
ここで、ＤＴＸとは、「ＰＵＳＣＨが移動局から送信されなかった」という判定結果であり、これは、前記移動局が、該ＰＵＳＣＨの送信を指示するＰＤＣＣＨ（ＵＬ  Ｓｃｈｅｄｕｌｉｎｇ  Ｇｒａｎｔ）の検出をミスしたことを意味する。この場合、該移動局は、自局宛にＰＵＳＣＨの送信するように指示されたことを検知しないため、結果として、ＰＵＳＣＨを送信しないことになる。
【００３９】
また、Δａｄｊ及びＢＬＥＲｔａｒｇｅｔは、前記ＳＩＲｏｆｆｓｅｔを調節するためのパラメータである。前記ＢＬＥＲｔａｒｇｅｔは、前記ＰＵＳＣＨのための目標の誤り率であってもよい。
【００４０】
さらに、「ＳＩＲｏｆｆｓｅｔ」は、ＰＵＳＣＨを介して送信される所定情報の優先度、例えば、ＰＵＳＣＨにマッピングされている論理チャネルグループに基づいて算出されてもよい。例えば、ＳＩＲｏｆｆｓｅｔは、以下の式に示すように、ＰＵＳＣＨを介して送信される論理チャネルグループの優先度（Ｌｏｇｉｃａｌ  Ｃｈａｎｎｅｌ  Ｇｒｏｕｐ  Ｐｒｉｏｒｉｔｙ）に基づいて調整されてもよい。
【数１Ａ】
2010154102.tif 000004
なお、Δｐｒｉｏｒｉｔｙは、ＰＵＳＣＨを介して送信される論理チャネルが分類される論理チャネルグループ毎に設定されるオフセット値である。例えば、ＤＣＣＨを送信する場合には、Δｐｒｉｏｒｉｔｙ＝１ｄＢと設定されてもよい。この場合、見かけ上のＳＩＲが小さくなることにより、該ＰＵＳＣＨの誤り率が小さくなる。結果として、ＤＣＣＨの誤り率を低減し、Ｃ−ｐｌａｎｅの遅延を低減することが可能となる。
【００４１】
なお、一般的に、前記論理チャネルグループには、優先度が付与されている。すなわち、論理チャネルグループ毎に、上述したＳＩＲｏｆｆｓｅｔの適用を行うことにより、優先度に応じたＳＩＲの調節処理を行うことが可能となる。
【００４２】
上述した説明において、優先度として、論理チャネルグループ（Ｌｏｇｉｃａｌ  Ｃｈａｎｎｅｌ）が用いられたが、代わりに、ＱｏＳや「ＱｏＳ  Ｃｌａｓｓ  Ｉｄｅｎｔｉｆｉｅｒ（ＱＣＩ）」や「Ｐｒｉｏｒｉｔｙ  Ｃｌａｓｓ」や「Ｌｏｇｉｃａｌ  Ｃｈａｎｎｅｌ  Ｐｒｉｏｒｉｔｙ」が用いられてもよい。
【００４３】
なお、上述した移動局ＵＥからＰＵＳＣＨを介して送信された所定情報の無線基地局ｅＮＢにおける受信結果（ＯＫ/ＮＧ/ＤＴＸ）に基づいたＳＩＲｏｆｆｓｅｔの調整、及び、ＰＵＳＣＨを介して送信される論理チャネルグループの優先度に基づいたＳＩＲｏｆｆｓｅｔの調整は、両方行われてもよく、或いは、どちらか一方のみが行われてもよく、或いは、そのいずれも行われなくてもよい。いずれの場合においても、後述する、パラメータ「ΔＣｏｎｔｒｏｌ＿ｒｅｓｏｕｒｃｅ」が算出され、ＳＩＲの補正値「ＳＩＲＡｄｊｕｓｔｅｄ」を算出する処理が適用されることができる。
【００４４】
例えば、ＳＩＲＡｄｊｕｓｔｅｄ算出部１２は、以下の２種類の算出方法によって、パラメータ「ΔＣｏｎｔｒｏｌ_ｒｅｓｏｕｒｃｅ」について算出することができる。
【００４５】
第１の算出方法において、ＳＩＲＡｄｊｕｓｔｅｄ算出部１２は、
【数２】
2010154102.tif 000005
【００４６】
によって、パラメータ「ΔＣｏｎｔｒｏｌ_ｒｅｓｏｕｒｃｅ」を算出するように構成されていてもよい。
【００４７】
ここで、「ＮＲＥ」は、上述の第１リソースブロック内のリソース要素の数であり、「ＮＲＥ，Ｃｏｎｔｒｏｌ_ｒｅｓｏｕｒｃｅ」は、上述の第１リソースブロック内で制御情報の送信に割り当てられるリソース要素の数である。
【００４８】
制御情報の送信用無線リソース量は、割り当てられたＰＵＳＣＨで送信する共有データチャネルのＴＢＳや変調方式、及び、制御チャネルに対するデータチャネルからの品質を調整するオフセット量により決定される。
【００４９】
したがって、未だ共有データチャネルに対して送信するＴＢＳや変調方式等が決定されていない場合には、制御情報の送信用無線リソース量を正確に見積もることは困難となるので、下記のように、送信予定の制御情報ビット数からリソース量を見積もってもよい。
【数２Ａ】
2010154102.tif 000006
ここで、Ｎｕｍｂｉｔ，ｃｏｎｔｒｏｌは、送信すべき制御情報の符号化前のビット数としてもよいし、符号化後のビット数としてもよい。また、Ｃｏｅｆａｄｊｕｓｔは、補正係数であってもよいし、任意のパラメータであってもよい。
【００５０】
第２の算出方法において、ＳＩＲＡｄｊｕｓｔｅｄ算出部１２は、
【数３】
2010154102.tif 000007
【００５１】
を満足する最大の「ΔＣｏｎｔｒｏｌ_ｒｅｓｏｕｒｃｅ」を、パラメータ「ΔＣｏｎｔｒｏｌ_ｒｅｓｏｕｒｃｅ」として算出するように構成されていてもよい。
【００５２】
ここで、「ＴＢＳｘ」は、インデックス値「ｘ」に対応するＴＢＳである。すなわち、ＳＩＲＡｄｊｕｓｔｅｄ算出部は、各インデックス値「ｘ」に対応する「ＴＢＳｘ」の値を管理するように構成されている。
【００５３】
第２に、上述の算出方法２について説明する。かかる算出方法２において、ＳＩＲＡｄｊｕｓｔｅｄ算出部１２は、「ＳＩＲＡｄｊｕｓｔｅｄ＝ＳＩＲａｌｌｏｃａｔｅｄ＋ＳＩＲｏｆｆｓｅｔ−ΔＳＲＳ」によって、ＳＩＲの補正値「ＳＩＲＡｄｊｕｓｔｅｄ」を算出するように構成されている。
【００５４】
ここで、「ΔＳＲＳ」は、上述の第１リソースブロック内でＳｏｕｎｄｉｎｇ  Ｒｅｆｅｒｅｎｃｅ  Ｓｉｇｎａｌの多重に割り当てられるリソース要素の数に基づいて算出されるパラメータである。
【００５５】
例えば、ＳＩＲＡｄｊｕｓｔｅｄ算出部１２は、以下の２種類の算出方法によって、パラメータ「ΔＳＲＳ」について算出することができる。
【００５６】
第２の算出方法において、ＳＩＲＡｄｊｕｓｔｅｄ算出部１２は、
【数３Ａ】
2010154102.tif 000008
によって、パラメータ「ΔＳＲＳ」を算出するように構成されていてもよい。
【００５７】
ここで、「ＮＲＥ」は、上述の第１リソースブロック内のリソース要素の数であり、「ＮＲＥ，ＳＲＳ」は、上述の第１リソースブロック内でＳｏｕｎｄｉｎｇ  Ｒｅｆｅｒｅｎｃｅ  Ｓｉｇｎａｌの多重に割り当てられるリソース要素の数である。
【００５８】
第２の算出方法において、ＳＩＲＡｄｊｕｓｔｅｄ算出部１２は、
【数３Ｂ】
2010154102.tif 000009
を満足する最大の「ΔＳＲＳ」を、パラメータ「ΔＳＲＳ」として算出するように構成されていてもよい。
【００５９】
第３に、上述の算出方法３について説明する。かかる算出方法３において、  ＳＩＲＡｄｊｕｓｔｅｄ算出部１２は、「ＳＩＲＡｄｊｕｓｔｅｄ＝ＳＩＲａｌｌｏｃａｔｅｄ＋ＳＩＲｏｆｆｓｅｔ−ΔＣｏｎｔｒｏｌ_ｒｅｓｏｕｒｃｅ＆ＳＲＳ」によって、ＳＩＲの補正値「ＳＩＲＡｄｊｕｓｔｅｄ」を算出するように構成されている。
【００６０】
ここで、「ΔＣｏｎｔｒｏｌ_ｒｅｓｏｕｒｃｅ＆ＳＲＳ」は、上述の第１リソースブロック内で制御情報の送信及びＳｏｕｎｄｉｎｇ  Ｒｅｆｅｒｅｎｃｅ  Ｓｉｇｎａｌの多重に割り当てられるリソース要素の数に基づいて算出されるパラメータである。
【００６１】
例えば、ＳＩＲＡｄｊｕｓｔｅｄ算出部１２は、以下の２種類の算出方法によって、パラメータ「ΔＣｏｎｔｒｏｌ_ｒｅｓｏｕｒｃｅ＆ＳＲＳ」について算出することができる。
【００６２】
第３の算出方法において、ＳＩＲＡｄｊｕｓｔｅｄ算出部１２は、
【数３Ｃ】
2010154102.tif 000010
によって、パラメータ「ΔＣｏｎｔｒｏｌ_ｒｅｓｏｕｒｃｅ＆ＳＲＳ」を算出するように構成されていてもよい。
【００６３】
ここで、「ＮＲＥ」は、上述の第１リソースブロック内のリソース要素の数であり、「ＮＲＥ，Ｃｏｎｔｒｏｌ_ｒｅｓｏｕｒｃｅ＆ＳＲＳ」は、上述の第１リソースブロック内でＳｏｕｎｄｉｎｇ  Ｒｅｆｅｒｅｎｃｅ  Ｓｉｇｎａｌの多重に割り当てられるリソース要素の数である。
【００６４】
第３の算出方法において、ＳＩＲＡｄｊｕｓｔｅｄ算出部１２は、
【数３Ｄ】
2010154102.tif 000011
を満足する最大の「ΔＣｏｎｔｒｏｌ_ｒｅｓｏｕｒｃｅ＆ＳＲＳ」を、パラメータ「ΔＣｏｎｔｒｏｌ_ｒｅｓｏｕｒｃｅ＆ＳＲＳ」として算出するように構成されていてもよい。
【００６５】
変調方式・ＴＢＳ選択部１３は、「第１リソースブロックの数」、及び、ＳＩＲＡｄｊｕｓｔｅｄ算出部１２によって算出されたＳＩＲの補正値「ＳＩＲＡｄｊｕｓｔｅｄ」に基づいて、第１リソースブロックにおいて使用すべき変調方式及び伝送可能なビット数（ＴＢＳ）を選択するように構成されている。
【００６６】
例えば、変調方式・ＴＢＳ選択部１３は、図３に示す「ＳＩＲ」と「ＴＢＳ」と「変調方式」との対応表を参照して、ＳＩＲＡｄｊｕｓｔｅｄ算出部１２によって算出されたＳＩＲの補正値「ＳＩＲＡｄｊｕｓｔｅｄ」に対応する「ＴＢＳ」及び「変調方式」を、第１リソースブロックにおいて使用すべき変調方式及び伝送可能なビット数（ＴＢＳ）として選択するように構成されていてもよい。
【００６７】
ここで、かかる対応表は、「第１リソースブロックの数」毎に設けられているものとする。
【００６８】
通知部１４は、第１リソースブロック、及び、変調方式・ＴＢＳ選択部１３によって選択された変調方式及びＴＢＳについて、ＰＤＣＣＨを介して、移動局ＵＥに対して通知するように構成されている。
【００６９】
（本発明の第１の実施形態に係る移動通信システムの動作）
図４及び図５を参照して、本発明の第１の実施形態に係る移動通信システムにおいて、無線基地局ｅＮＢが、ＰＵＳＣＨ＃１において、移動局ＵＥから、かかる移動局ＵＥに対して割り当てられた第１リソースブロックを用いて送信される所定情報（上りリンクデータ）を受信する動作について説明する。
【００７０】
図４に示すように、ステップＳ１０１において、無線基地局ｅＮＢが、ＰＵＳＣＨ＃１において、移動局ＵＥに割当てられた複数のリソースブロック＃１におけるＳＩＲ「ＳＩＲａｌｌｏｃａｔｅｄ」、及び、ＳＩＲｏｆｆｓｅｔの補正値「ＳＩＲｏｆｆｓｅｔＡｄｊｕｓｔｅｄ」を算出する。
【００７１】
具体的には、無線基地局ｅＮＢは、
【数４】
2010154102.tif 000012
【００７２】
によって、パラメータ「ΔＣｏｎｔｒｏｌ_ｒｅｓｏｕｒｃｅ」を算出し、「ＳＩＲｏｆｆｓｅｔＡｄｊｕｓｔｅｄ＝ＳＩＲｏｆｆｓｅｔ−ΔＣｏｎｔｒｏｌ_ｒｅｓｏｕｒｃｅ」によって、ＳＩＲｏｆｆｓｅｔの補正値「ＳＩＲｏｆｆｓｅｔＡｄｊｕｓｔｅｄ」を算出する。
【００７３】
無線基地局ｅＮＢは、ステップＳ１０２において、「ＳＩＲＡｄｊｕｓｔｅｄ＝ＳＩＲａｌｌｏｃａｔｅｄ＋ＳＩＲｏｆｆｓｅｔＡｄｊｕｓｔｅｄ」によって、ＳＩＲの補正値「ＳＩＲＡｄｊｕｓｔｅｄ」を算出する。
【００７４】
ステップＳ１０３において、無線基地局ｅＮＢは、図３に示す「第１リソースブロックの数」毎に設けられている「ＳＩＲ」と「ＴＢＳ」と「変調方式」との対応表を参照して、算出されたＳＩＲの補正値「ＳＩＲＡｄｊｕｓｔｅｄ」に対応する「ＴＢＳ」及び「変調方式」を、第１リソースブロックにおいて使用すべき変調方式及び伝送可能なビット数（ＴＢＳ）として選択する。
【００７５】
ステップＳ１０４において、無線基地局ｅＮＢは、第1リソースブロック及び選択された変調方式及びＴＢＳについて、ＰＤＣＣＨを介して、移動局ＵＥに対して通知する。
【００７６】
なお、無線基地局ｅＮＢは、図４及び図５の動作を、時間スロット（サブフレーム）ごとに行うように構成されていてもよい。
【００７７】
移動局は、ＰＤＣＣＨを介して通知された第２リソースブロックにおいて、指定された変調方式及びＴＢＳを用いて、所定の時間スロット（サブフレーム）において、所定情報の送信を行う。
【００７８】
一方、無線基地局においては、ＰＤＣＣＨで指定した、第１リソースブロックにおいて、指定された変調方式及びＴＢＳで送信される所定情報の受信を行う。
【００７９】
（本発明の第１の実施形態に係る移動通信システムの作用・効果）
本発明の第１の実施形態に係る移動通信システムで用いられる移動局ＵＥによれば、ＬＴＥ方式のように、各リソースブロックによって伝送可能なビット数が一定でない場合であっても、ＰＵＳＣＨにおいて所望の伝送品質を実現することができる。
【００８０】
なお、上述の無線基地局ｅＮＢの動作は、ハードウェアによって実施されてもよいし、プロセッサによって実行されるソフトウェアモジュールによって実施されてもよいし、両者の組み合わせによって実施されてもよい。
【００８１】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００８２】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢ内に設けられていてもよい。また、かかる記憶媒体及びプロセッサは、ディスクリートコンポーネントとして移無線基地局ｅＮＢ内に設けられていてもよい。
【００８３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【００８４】
【図１】本発明の第１の実施形態に係る移動通信システムの全体構成図である。
【図２】本発明の第１の実施形態に係る無線基地局の機能ブロック図である。
【図３】本発明の第１の実施形態に係る無線基地局によって管理されている「ＳＩＲ」と「ＴＢＳ」と「変調方式」との対応表の一例を示す図である。
【図４】本発明の第１の実施形態に係る無線基地局が上りリンクチャネルを介して所定情報を受信する動作について示すフローチャートである。
【図５】ＨＳＤＰＡ方式における下りリンク共有データチャネル及びＬＴＥ方式における物理上りリンク共有チャネルに対する無線リソースの割り当て方法の一例を示す図である。
【符号の説明】
【００８５】
ｅＮＢ…無線基地局
１１…取得部
１２…ＳＩＲＡｄｊｕｓｔｅｄ算出部
１３…変調方式・ＴＢＳ選択部
１４…通知部
【図１】
2010154102.tif 000019
【図２】
2010154102.tif 000020
【図３】
2010154102.tif 000021
【図４】
2010154102.tif 000022
【図５】
2010154102.tif 000023